(57)【要約】【課題】照明器具の使用実績から、電力使用量の削減が可能な照明器具の調光レベルを自動的に設定できる調光制御システムを提供する。【解決手段】調光制御システムは、外部から入力される調光上限値以下の調光範囲で光源１４を調光点灯させる複数台の照明器具１と、各照明器具１に個別に調光上限値を出力することによって各照明器具１の調光範囲を個別に制限する調光制御装置２とを備える。調光制御装置２は、所定の集計期間における前記各照明器具１の累積点灯時間を計時するタイマ２４と、タイマ２４が計時した各照明器具１の累積点灯時間に基づいて、集計期間内での累積点灯時間が長いほど調光上限値が低下するように、各照明器具１に出力する調光上限値を決定する調光レベル決定部２１と、調光レベル決定部２１で決定された調光上限値を、対応する照明器具１に通信部２２から出力させる制御部２０とを備える。【選択図】図１
2011204641.tif 000002
【特許請求の範囲】
【請求項１】
外部から入力される調光上限値以下の調光範囲で光源を調光点灯させる複数台の照明器具と、
これら照明器具に個別に調光上限値を出力することによって前記各照明器具の調光範囲を個別に制御する調光制御装置とを備え、
この調光制御装置は、
所定の集計期間における前記各照明器具の使用実績を検出して検出結果をメモリに記憶させる使用実績検出部と、
前記メモリに記憶された前記各照明器具の使用実績に基づいて、前記集計期間内で多く使用されている照明器具ほど調光上限値が低下するように、前記各照明器具に出力する調光上限値を決定する調光レベル決定部と、
この調光レベル決定部で決定された調光上限値を、対応する前記照明器具に出力する出力部とを備えたことを特徴とする調光制御システム。
【請求項２】
前記各照明器具に設置場所を示す属性情報が設定され、
前記調光レベル決定部は、前記属性情報が示す設置場所によって、使用実績に応じた調光上限値が異なるように、前記各照明器具に出力する調光上限値を決定することを特徴とする請求項１記載の調光制御システム。
【請求項３】
前記照明器具の使用実績と調光上限値とを対応付けた調光テーブルをユーザが設定するための調光テーブル設定部を備え、
前記調光レベル決定部は、前記使用実績検出部が検出した使用実績をもとに前記調光テーブルを参照して、この照明器具の調光上限値を決定することを特徴とする請求項１又は２の何れか１項に記載の調光制御システム。
【請求項４】
前記使用実績検出部が、前記集計期間において前記各照明器具の累積点灯時間を計時するタイマを備え、前記使用実績として累積点灯時間を検出することを特徴とする請求項１乃至３の何れか１項に記載に調光制御システム。
【請求項５】
前記使用実績検出部が、前記集計期間において前記各照明器具の点灯回数をカウントするカウンタを備え、前記使用実績として点灯回数を検出することを特徴とする請求項１乃至３の何れか１項に記載に調光制御システム。
【請求項６】
前記使用実績検出部が、前記集計期間において前記各照明器具の累積点灯時間を計時するタイマと、前記集計期間において前記各照明器具の点灯回数をカウントするカウンタとを備え、前記使用実績として累積点灯時間及び点灯回数を検出することを特徴とする請求項１乃至３の何れか１項に記載に調光制御システム。
【発明の詳細な説明】
【技術分野】
【０００１】
本発明は、調光制御システムに関するものである。
【背景技術】
【０００２】
従来、長時間の使用に伴ってランプの表面が汚れることにより、見掛け上の照度が低下するのを抑制した照明制御装置が提案されている（例えば特許文献１参照）。この照明制御装置では、ランプ交換時からの経過時間を計時し、時間が経過するにつれてランプ出力を明るくするように調光することで、見掛け上の照度をほぼ一定に保っている。
【０００３】
また従来、複数台の照明器具と調光制御装置とが調光信号線を介して接続された調光制御システムが提供されている。調光制御装置では、ユーザの調光操作に応じて、制御対象の照明器具に調光信号線を介して調光制御信号を出力し、この調光制御信号が入力された照明器具では、調光制御信号に応じた調光レベルで光源を調光点灯させていた。
【０００４】
この種の調光制御システムでは、ユーザの操作履歴を記録する目的で、各照明器具の全点灯、調光点灯、消灯の情報を蓄積しておくものがあり、蓄積した情報は例えば調光制御装置に保存されている。
【先行技術文献】
【特許文献】
【０００５】
【特許文献１】特開平９−９７６８３号公報
【発明の概要】
【発明が解決しようとする課題】
【０００６】
上述した従来の調光制御システムでは、調光制御装置に保存されたユーザの操作履歴を電力使用量の削減に利用しようとしても、一般のユーザでは、省電力を実現するためにどのような対策をとればよいのか、判断が難しかった。また、操作履歴から省電力を実現するための方策を検討するため、専門的な知識を持たない一般のユーザでは、正しい判断が行えない場合があり、また判断に時間を要するという問題もあった。
【０００７】
本発明は上記課題に鑑みて為されたものであり、その目的とするところは、照明器具の使用実績から、電力使用量の削減が可能な照明器具の調光レベルを自動的に設定できる調光制御システムを提供することにある。
【課題を解決するための手段】
【０００８】
上記課題を解決するために、本発明の調光制御システムは、外部から入力される調光上限値以下の調光範囲で光源を調光点灯させる複数台の照明器具と、これら照明器具に個別に調光上限値を出力することによって各照明器具の調光範囲を個別に制御する調光制御装置とを備える。この調光制御装置は、使用実績検出部と、調光レベル決定部と、出力部とを備える。使用実績検出部は、所定の集計期間における各照明器具の使用実績を検出し、検出結果をメモリに記憶させる。調光レベル決定部は、メモリに記憶された各照明器具の使用実績に基づいて、集計期間内で多く使用されている照明器具ほど調光上限値が低下するように、各照明器具に出力する調光上限値を決定する。出力部は、調光レベル決定部で決定された調光上限値を、対応する照明器具に出力する。
【０００９】
この調光制御システムにおいて、各照明器具に設置場所を示す属性情報が設定されることも好ましい。この場合、調光レベル決定部は、属性情報が示す設置場所によって、使用実績に応じた調光上限値が異なるように、各照明器具に出力する調光上限値を決定する。
ことを特徴とする。
【００１０】
また、この調光制御システムにおいて、照明器具の使用実績と調光上限値とを対応付けた調光テーブルをユーザが設定するための調光テーブル設定部を備えることも好ましい。この場合、調光レベル決定部は、使用実績検出部が検出した使用実績をもとに調光テーブルを参照して、この照明器具の調光上限値を決定する。
【００１１】
また、使用実績検出部が、集計期間において各照明器具の累積点灯時間を計時するタイマを備え、使用実績として累積点灯時間を検出することも好ましい。
【００１２】
また、使用実績検出部が、集計期間において各照明器具の点灯回数をカウントするカウンタを備え、使用実績として点灯回数を検出することも好ましい。
【００１３】
また、使用実績検出部が、集計期間において各照明器具の累積点灯時間を計時するタイマと、集計期間において各照明器具の点灯回数をカウントするカウンタとを備え、使用実績として累積点灯時間及び点灯回数を検出することも好ましい。
【発明の効果】
【００１４】
本発明によれば、照明器具の使用実績から、電力使用量の削減が可能な照明器具の調光レベルを自動的に設定することができる。
【図面の簡単な説明】
【００１５】
【図１】（ａ）は実施形態１の調光制御システムを構成する調光制御装置のブロック図、（ｂ）は照明器具のブロック図である。
【図２】同上の調光制御システムの概略的なシステム構成図である。
【図３】同上の調光制御システムのフローチャートである。
【図４】実施形態２の調光制御システムを構成する調光制御装置のブロック図である。
【図５】実施形態３の調光制御システムを構成する調光制御装置のブロック図である。
【図６】実施形態４の調光制御システムを構成する調光制御装置のブロック図である。
【発明を実施するための形態】
【００１６】
以下に、本発明の実施の形態を図面に基づいて説明する。
【００１７】
（実施形態１）
本発明の技術思想を、住宅内に設置された照明器具の調光範囲を制御する調光制御システムに適用した実施形態について、図１〜図３を参照して説明する。
【００１８】
図２は調光制御システムの概略的なシステム構成図であり、本システムは、住宅内に設置された複数台の照明器具１と、複数台の照明器具１に通信線３を介して接続された調光制御装置２とを主要な構成として備えている。なお、調光制御装置２は、ゲートウェイ装置（ＧＷ）５を介してインターネットのような広域通信網ＮＴに接続されている。
【００１９】
照明器具１は、図１（ｂ）のブロック図に示すように、制御部１０と、通信部１１と、リモコン通信部１２と、点灯回路部１３と、光源１４とを備える。
【００２０】
点灯回路部１３は、制御部１０から入力される制御信号に応じて、蛍光灯のような放電灯からなる光源１４を点灯又は消灯させるとともに、制御部１０から入力される調光信号に応じた調光レベルで光源１４を調光点灯させる機能を有している。
【００２１】
通信部１１は、調光制御装置２との間で通信を行い、光源１４の点灯状態に関わる情報（点灯／消灯の情報や調光点灯時の調光レベルの情報など）を調光制御装置２側へ送信する。また通信部１１は、調光制御装置２から送信された調光上限値を受信し、この調光上限値を制御部１０に出力する。ここにおいて、各々の照明器具１及び調光制御装置２には個別のアドレスが割り当てられており、照明器具１と調光制御装置２の間でアドレスを用いた通信を行うことによって、送信元及び送信先の機器を識別することができる。尚、本実施形態では照明器具１と調光制御装置２との間で有線通信を行っているが、無線通信で信号の授受を行うにしてもよい。
【００２２】
リモコン通信部１２は、リモコン送信機（リモコン）４から送信されたリモコン信号（例えば赤外線のような光信号からなる信号）を受信し、受信したリモコン信号を制御部１０に出力する。尚、リモコン送信機４には、対応する照明器具１の点灯／消灯を切り替えるためのスイッチが設けられ、このスイッチをユーザが操作することによって、点灯／消灯を切り替えるリモコン信号が照明器具１に送信される。またリモコン送信機４には、対応する照明器具１の調光レベルを変化させるスイッチが設けられ、このスイッチをユーザが操作することによって、調光レベルを変化させるリモコン信号が照明器具１に送信される。
【００２３】
制御部１０は、リモコン通信部１２から点灯／消灯を切り替えるリモコン信号が入力されると、点灯回路部１３の出力を制御して、光源１４を点灯状態から消灯状態へ、或いは、消灯状態から点灯状態へと反転させる。また制御部１０は、光源１４の点灯時において、リモコン通信部１２から調光レベルを変化させるリモコン信号が入力されると、このリモコン信号に応じた調光レベルで光源１４を点灯させるように、点灯回路部１３の調光出力を制御する。また制御部１０は、通信部１１から調光上限値が入力されると、光源１４の調光範囲が調光上限値以下に制限され、この調光上限値よりも明るい調光レベルでは光源１４を点灯させることができないようになっている。
【００２４】
また制御部１０は、リモコン信号に応じて光源１４の点灯／消灯を切り替えると、光源１４の点灯又は消灯を示す情報を通信部１１から調光制御装置２へ送信させ、調光点灯時には光源１４の調光レベルを示す情報も通信部１１から調光制御装置２へ送信させる。
【００２５】
一方、調光制御装置２は、図１（ａ）のブロック図に示すように、制御部２０と、調光レベル決定部２１と、通信部２２と、データ収集部２３と、タイマ２４と、メモリ２５とを主要な構成として備えている。
【００２６】
通信部２２は、通信線３を介して各々の照明器具１との間で通信を行う。
【００２７】
データ収集部２３は、通信部２２が照明器具１との間で通信を行って得た情報から、各々の照明器具１毎に、光源１４の点灯状態に関わる情報（光源１４の点灯又は消灯、或いは調光レベル）を収集する。
【００２８】
タイマ２４は、データ収集部２３が各照明器具１から収集した情報をもとに、所定の集計期間において各照明器具１の光源１４が点灯した累積点灯時間を計時し、累積点灯時間の計時結果をメモリ２５に記憶させる。集計期間は各照明器具１の使用実績を判断するのに十分な期間であればよい。本実施形態では過去１週間の期間（１６８時間）を集計期間としているが、集計期間を１ヶ月或いは１年としてもよいし、集計期間を都度変更してもよい。
【００２９】
メモリ２５は、各々の照明器具１について、過去の集計期間における累積点灯時間を記憶する。
【００３０】
調光レベル決定部２１は、各々の照明器具１について、メモリ２５に記憶された各照明器具１の累積点灯時間をもとに、集計期間内で累積点灯時間が長い照明器具ほど調光上限値が低くなるように、各照明器具１の調光上限値を決定する。
【００３１】
制御部２０は、各照明器具１に対して、調光レベル決定部２１で決定されたこの照明器具１の調光上限値を、通信部２２から対応する照明器具１へ送信させる。
【００３２】
次に、この調光制御システムにより各照明器具１の調光上限値を決定する動作について図３のフローチャートを参照して説明する。
【００３３】
調光制御装置２では、データ収集部２３が、通信部２２の受信した信号をもとに、各照明器具１から使用実績に関わる情報を収集し（図３のステップＳ１）、収集した情報をメモリ２５に蓄積する。尚、データ収集部２３では、使用実績に関わる情報として光源１４の点灯状態に関わる情報を
各照明器具１から光源１４の制御情報（すなわち光源１４の点灯、消灯の情報）を収集している。
【００３４】
タイマ２４では、所定の集計期間において各々の照明器具１の累積点灯時間を計時する（ステップＳ２）。すなわちタイマ２４では、集計対象の照明器具１からデータ収集部２３が点灯情報を取得した時点より、消灯情報を取得した時点までの時間（点灯時間）を計時し、所定の集計期間内で点灯時間を積算することによって各照明器具１の累積点灯時間を求めている。タイマ２４によって計時された各照明器具１の累積点灯時間はメモリ２５にテーブルとして記憶される（ステップＳ３）。下記の表１は、ある集計期間内でメモリ２５に記憶された累積点灯時間のテーブルを示し、キッチン照明、玄関照明及び寝室照明の３台の照明器具１について累積点灯時間を計時した結果が記憶されている。尚、メモリ２５に記憶される累積点灯時間のデータは、テーブルとして記憶されるものには限られず、各々の照明器具１毎に累積点灯時間の測定値が記憶されていればよい。
【００３５】
【表１】
2011204641.tif 000003
【００３６】
調光レベル決定部２１は、メモリ２５から読み出した各照明器具１の累積点灯時間をもとに、集計期間内での累積点灯時間が長い照明器具ほど調光上限値が低くなるように、各照明器具１に出力する調光上限値を決定する。
【００３７】
照明器具１の累積点灯時間が表１の通りである場合、調光レベル決定部２１は、先ず、各々の照明器具１について、集計期間内の総時間に対する累積点灯時間の割合を算出する（ステップＳ４）。例えばキッチン照明であれば１０÷１６８≒６（％）、玄関照明であれば１００÷１６８≒６０（％）、寝室照明であれば２０÷１６８≒１２（％）となる。累積点灯時間が長い照明器具ほど、総時間に対する累積点灯時間の割合も大きくなるので、割合の大きい照明器具ほど調光上限値が低くなるように、調光上限値を決定すればよい。
【００３８】
そこで、調光レベル決定部２１では、ステップＳ４で求めた割合の逆数をとり、この値にデフォルト値（例えば５０％）を加算することによって、各照明器具１の調光上限値を決定する（ステップＳ５）。例えばキッチン照明であれば、１００÷６＋５０≒６６．７（％）が調光上限値に設定される。玄関照明であれば、１００÷６０＋５０≒５１．７（％）が調光上限値に設定される。また寝室照明であれば、１００÷１２＋５０≒５８．３（％）が調光上限値に設定される。尚、照明器具１の累積点灯時間が０時間であった場合、調光レベル決定部２１は、この照明器具１の調光上限値を１００％に設定する。
【００３９】
調光レベル決定部２１によって各照明器具１の調光上限値が決定されると、制御部２０は、調光レベル決定部２１によって決定された調光上限値を、通信部２２から各照明器具１へ送信させる（ステップＳ６）。
【００４０】
各照明器具１では、調光制御装置２から送信された調光上限値を通信部１１で受信すると、制御部１０は、光源１４を点灯させる際に、受信した調光上限値以下の調光範囲で光源１４を調光点灯させるように点灯回路部１３の出力を制御する。各照明器具１では、リモコン送信機４を用いて調光レベルを変化させることが可能であるが、調光制御装置２によって決定された調光上限値以下の調光範囲でしか調光点灯させることができず、調光上限値よりも明るい範囲では調光できないようになっている。
【００４１】
上述のように、本システムでは、照明器具の使用実績として累積点灯時間を検出しており、使用実績検出部たるタイマ２４が、所定の集計期間における各照明器具１の累積点灯時間を計時し、計時結果をメモリ２５に記憶させている。そして、調光レベル決定部２１では、使用実績検出部によって検出された各照明器具１の使用実績に基づいて、照明器具１が多く使用されているほど調光上限値が低下するように、各照明器具１に出力する調光上限値を決定している。
【００４２】
これにより、各照明器具１の調光上限値は、所定の集計期間内で多く使用されている照明器具ほど、調光上限値が低くなるように設定される。調光上限値を下げると、調光上限値よりも明るい範囲で調光されなくなるから、電力使用量を抑制することができ、多用されている照明器具ほど調光レベルが低く設定されるので、電力使用量の抑制効果が高まるような調光レベルの設定を自動的に行うことができる。また、ユーザが各照明器具１の使用実績に基づいて調光レベルを判断する場合に比べて、調光レベルの決定を短時間で行え、且つ、電力使用量の抑制効果が高い設定を確実に行うことができる。
【００４３】
さらに、本実施形態では、使用実績検出部としてのタイマ２４が、各照明器具１の使用実績として累積点灯時間を計時し、調光レベル決定部２１では、累積点灯時間が長い照明器具ほど調光レベルが低くなるように、各照明器具１の調光レベルを決定している。このように、本実施形態では照明器具の使用実績として累積点灯時間を計時しており、照明器具１の点灯及び消灯の情報から累積点灯時間を計時できるので、使用実績を容易に検出することができる。
【００４４】
尚、調光レベル決定部２１では、集計期間内の総時間に対する累積点灯時間の割合を求め、この割合の逆数にデフォルト値を加算することで各照明器具１の調光上限値を決定しているが、この演算ロジックとは別の演算ロジックで調光上限値を決定してもよい。また調光レベル決定部２１では、調光上限値を決定する演算ロジックをその都度変更してもよい。
（実施形態２）
本発明の実施形態２について図４を参照して説明する。尚、調光制御システムの基本的な構成は実施形態１と同様であるので、共通する構成要素には同一の符号を付して、その説明は省略する。
【００４５】
調光制御装置２には、照明器具１の累積点灯時間と調光上限値とを対応付けた調光テーブルをユーザが設定するための設定部（調光テーブル設定部）２６が設けられている。設定部２６としては、調光制御装置２が備える表示モニタ（図示せず）に設定用のＧＵＩ画面を表示させ、このＧＵＩ画面の案内にしたがってユーザが調光テーブルを設定するものでもよい。また設定部２６は、調光テーブルを設定するために設けられた操作スイッチ（図示せず）でもよく、この操作スイッチを操作することで調光テーブルの設定を行ってもよい。
【００４６】
設定部２６を用いて設定された調光テーブルでは、累積点灯時間が長くなるほど調光上限値が低下するように、累積点灯時間と調光上限値とが対応付けて設定されている。下記の表２は調光テーブルの一例である。この調光テーブルでは累積点灯時間が２０時間未満であれば調光上限値が９０％に設定され、２０時間以上且つ４０時間未満であれば８０％に設定される。また、累積点灯時間が４０時間以上且つ６０時間未満であれば調光上限値が７０％に、６０時間以上且つ８０時間未満であれば６０％に、８０時間以上であれば５０％に設定されている。
【００４７】
【表２】
2011204641.tif 000004
【００４８】
そして、調光レベル決定部２１では、各照明器具１に出力する調光上限値を決定する際に、メモリ２５に記憶された累積点灯時間をもとに、設定部２６により設定された調光テーブルを参照して調光上限値を決定する。表１の例ではキッチン照明の照明器具１の累積点灯時間は１０時間であるから、調光レベル決定部２１は表２の調光テーブルより調光上限値を９０％に設定し、この調光上限値を通信部２２からキッチン照明の照明器具１に送信させる。キッチン照明の照明器具１では、調光制御装置２から送信された調光上限値により調光範囲が９０％以下に設定される。尚、リモコン送信機４を用いて照明器具１の調光レベルを変更することは可能であるが、キッチン照明の照明器具１は調光制御装置２によって調光上限値が９０％に設定されているので、９０％以下の調光範囲でしか調光レベルを変更させることができない。したがって、キッチン照明の照明器具１を９０％よりも高い調光レベルに変化させることはできず、電力使用量を削減することができる。また表１に示された照明器具の中では、玄関照明の累積点灯時間が最も長く、１００時間となっている。調光レベル決定部２１は、玄関照明の累積点灯時間をもとに調光テーブルを参照して、調光上限値を５０％に決定すると、この調光上限値を通信部２２から玄関照明の照明器具１に送信し、この照明器具１の調光範囲を５０％以下に設定する。
【００４９】
このように、設定部２６を用いて設定された調光テーブルでは、累積点灯時間が長くなるほど調光上限値が低下するように、累積点灯時間と調光上限値とが対応付けて設定されている。そして、調光レベル決定部２１では、メモリ２５に記憶された各照明器具１の累積点灯時間をもとに、調光テーブルを参照して各照明器具１に出力する調光上限値を決定する。
【００５０】
これにより、累積点灯時間の長い照明器具ほど調光上限値が低くなるように、調光上限値が設定される。調光上限値を下げれば使用電力量も低減されるから、長い時間使用される照明器具ほど調光上限値を低下させることによって、使用電力量の抑制効果を高めることができる。
【００５１】
また表１の集計結果が得られた後にキッチン照明が長時間点灯されて、集計期間内（例えば過去１週間内）でのキッチン照明の累積点灯時間が４０時間以上になると（例えば５５時間）、調光レベル決定部２１は、調光テーブルの設定を参照して、キッチン照明の調光上限値を７０％に決定する。この場合、キッチン照明の照明器具１では調光上限値が９０％から７０％に低減され、リモコン送信機４を用いても７０％以上の調光レベルに変化させることができず、調光レベルが７０％以下に制限されるから、電力使用量の低減効果が向上する。
（実施形態３）
本発明の実施形態３について説明を行う。尚、調光制御システムの基本的なシステム構成は実施形態２と同様であるので、共通する構成要素には同一の符号を付して、その説明は省略する。
【００５２】
上述の実施形態１，２では、照明器具１の設置場所に関係無く、所定の集計期間内での累積点灯時間が長いほど調光上限値が低下するように、各照明器具１の調光レベルが設定されている。ところで、累積点灯時間が長い照明器具ほど調光上限値を低下させるように調光上限値が設定されると、照明器具の設置場所によっては使い勝手が悪い場合も発生する。例えば浴室照明の場合、住居人が入浴する際に浴室照明を点灯させるため、毎日一定時間以上点灯し、それによって累積点灯時間が毎日一定時間以上増加することになる。そのため、他の設置場所にある照明器具１と同じ割合で、累積点灯時間に応じて調光上限値を低下させると、累積点灯時間の増加に伴って浴室照明の調光上限値が暗くなりすぎるという問題があった。
【００５３】
そこで、本実施形態の調光制御システムでは照明器具１の設置場所に応じて、累積点灯時間に応じた調光上限値の変化度合いを異ならせており、累積点灯時間の増加に伴って調光上限値が低下させられたとしても、設置場所で必要な照度が確保できるようにしている。
【００５４】
この調光制御システムでは、各照明器具１に自身の設置場所を示す属性情報が予め設定されている。
【００５５】
また設定部２６を用いて、累積点灯時間と調光上限値とを対応付けた調光テーブルが設定されるのであるが、本システムでは照明器具の設置場所毎に累積点灯時間と調光上限値とを対応付けた調光テーブルをそれぞれ設定してある。下記の表３は、設置場所を示す属性情報が「浴室」である場合の調光テーブルを示している。この調光テーブルでは、累積点灯時間が６０時間未満であれば調光上限値が９０％に設定され、累積点灯時間が６０時間以上であれば調光上限値が８５％に設定されている。
【００５６】
【表３】
2011204641.tif 000005
【００５７】
そして、調光レベル決定部２１では、各照明器具１の調光上限値を決定する際に、先ず、設定対象の照明器具１から、この照明器具１に予め割り当てた属性情報を読み取るとともに、メモリ２５からこの照明器具１の累積点灯時間を読み出す。次に調光レベル決定部２１は、この照明器具１の属性情報、すなわち照明器具１の設置場所に対応した調光テーブルを設定部２６から選択する。そして、調光レベル決定部２１は、メモリ２５から読み出した累積点灯時間をもとに、設置場所に対応した調光テーブルを参照して、累積点灯時間に応じた調光上限値を決定する。例えば浴室照明の累積点灯時間が８８時間であるとすると、調光レベル決定部２１は、表３の調光テーブルから調光上限値を８５％に設定する。そして、調光レベル決定部２１で決定された調光上限値は、通信部２２から浴室照明の照明器具１に送信される。浴室照明の照明器具１では、調光制御装置２から送信された調光上限値によって調光範囲が決定され、この場合は調光範囲の上限値が８５％に設定される。
【００５８】
ここで、照明器具１の設置場所に関係無く、１つの調光テーブル（例えば表２の調光テーブル）で各照明器具１の調光上限値が決定される場合、浴室照明の累積点灯時間が８８時間であれば、その調光上限値は５０％に設定される。それに対して、本実施形態では照明器具１の設置場所毎に別個の調光テーブルが用意されており、浴室照明に対しては表３の調光テーブルが用意されている。したがって、浴室照明の累積点灯時間が８８時間であっても調光上限値は８５％となり、浴室内で十分な明るさを確保できる。
【００５９】
このように、設置場所毎に累積点灯時間に対する調光上限値の設定を異ならせているので、照明器具の設置場所に合わせて、累積点灯時間に応じた調光度合いを変化させることができる。したがって、設置場所によって必要な明るさが異なる場合でも、各々の設置場所で必要とされる照度を十分に確保することができる。
【００６０】
尚、本システムでは照明器具１の設置場所毎に累積点灯時間と調光上限値とを対応付けた調光テーブルが設定されているが、複数の調光テーブルのうち、少なくとも１つは、累積点灯時間が長いほど調光上限値が低くなるように設定されていればよい。また、設置場所によっては累積点灯時間に関係無く一定の明るさが必要な場所もあるので、このような設置場所に対応した調光テーブルでは、累積点灯時間に関係無く調光上限値が一定に設定されていればよい。
【００６１】
また、本システムでは調光レベル決定部２１が、各照明器具１の累積点灯時間をもとに、設置場所に応じた調光テーブルを参照して、調光上限値を決定しているが、実施形態１で説明したような演算ロジックで調光上限値を決定してもよい。すなわち、照明器具１の設置場所に応じて異なる演算ロジックを用意しておき、調光レベル決定部２１が、照明器具の設置場所に応じた演算ロジックを選択し、この照明器具の使用実績をもとに、調光上限値を演算により求めてもよい。
（実施形態４）
本発明の実施形態４を図５に基づいて説明する。上述した実施形態１〜３では、各照明器具の使用実績として累積点灯時間を検出しているのに対して、本実施形態では、所定の集計期間における各照明器具１の点灯回数を使用実績として検出している。尚、調光制御システムの構成は実施形態１〜３と略同様であるので、共通する構成要素には同一の符号を付して、その説明は省略する。
【００６２】
調光制御装置２では、タイマ２４の代わりに、所定の集計期間における各照明器具１の点灯回数をカウントするカウンタ２７を備えている。カウンタ２７は、データ収集部２３が各照明器具１から収集した点灯／消灯の情報をもとに、所定の集計期間における各照明器具１の点灯回数をカウントする。カウンタ２７では、各々の照明器具１について、所定の集計期間における点灯回数のカウント値をメモリ２５に記憶させる。なお、カウンタ２７は、所定の集計期間内であれば点灯回数のカウントを継続して行うものとする。下記の表４は、ある集計期間内で３台の照明器具１について点灯回数をカウントした結果を示しており、キッチン照明の点灯回数は５回、玄関照明の点灯回数は３０回、寝室照明の点灯回数は１０回となっている。集計期間は各照明器具１の使用実績を判断するのに十分な期間であればよい。本実施形態では過去１週間の期間（１６８時間）を集計期間としているが、集計期間を１ヶ月或いは１年としてもよいし、集計期間を都度変更してもよい。
【００６３】
【表４】
2011204641.tif 000006
【００６４】
また調光制御装置２には、照明器具１の点灯回数と調光上限値とを対応付けた調光テーブルをユーザが設定するための設定部２６が設けられている。
【００６５】
設定部２６を用いて設定された調光テーブルでは、集計期間内での点灯回数が多いほど調光上限値が低下するように、点灯回数と調光上限値とが対応付けて設定されている。下記の表５は調光テーブルの一例である。この調光テーブルでは点灯回数が５回未満であれば調光上限値が９０％、５回以上且つ１０回未満であれば８０％、１０回以上且つ１５回未満であれば７０％、１５回以上且つ２０回未満であれば６０％、２０回以上であれば５０％に設定されている。
【００６６】
【表５】
2011204641.tif 000007
【００６７】
そして、調光レベル決定部２１では、各照明器具１に出力する調光上限値を決定する際に、メモリ２５に記憶された点灯回数をもとに、設定部２６により設定された調光テーブルを参照して調光上限値を決定する。表４の例では寝室照明の点灯回数は１０回であるから、調光レベル決定部２１は表５の調光テーブルより調光上限値を７０％に設定し、この調光上限値が通信部２２から寝室照明の照明器具１に送信される。寝室照明の照明器具１では、調光制御装置２から送信された信号により調光上限値が７０％に設定される。尚、リモコン送信機４を用いて照明器具１の調光レベルを変更することは可能であるが、寝室照明の照明器具１は調光制御装置２によって調光上限値が７０％に設定されているので、７０％以下の調光範囲でしか調光レベルを変更させることができない。したがって、キッチン照明の照明器具１を７０％よりも高い調光レベルに変化させることはできず、電力使用量を削減することができる。
【００６８】
また表４の集計結果では、玄関照明の点灯回数が最も多く、３０回となっている。調光レベル決定部２１は、玄関照明の点灯回数をもとに調光テーブルを参照して、調光上限値を５０％に決定すると、この調光上限値を通信部２２から玄関照明の照明器具１に送信し、この照明器具１の調光レベルを５０％に設定する。
【００６９】
また表４の集計結果が得られた後も寝室照明の点灯／消灯が繰り返されて、集計期間内での寝室照明の点灯回数が２０回以上になると（例えば２２回）、調光レベル決定部２１は、調光テーブルの設定を参照して、寝室照明の調光上限値を５０％に決定する。この場合、寝室照明の調光上限値が７０％から５０％に低減させられ、リモコン送信機４を用いても５０％以上の調光レベルに変化させることはできず、調光レベルが５０％以下に制限されるので、電力使用量の抑制効果を高めることができる。
【００７０】
上述のように、本システムでは、照明器具の使用実績として点灯回数を検出しており、使用実績検出部たるカウンタ２７が、所定の集計期間における各照明器具１の点灯回数をカウントしている。そして、調光レベル決定部２１では、使用実績検出部によって検出された各照明器具１の使用実績に基づいて、照明器具１が多く使用されているほど調光上限値が低下するように、各照明器具１に出力する調光上限値を決定している。
【００７１】
これにより、各照明器具１の調光上限値は、所定の集計期間内で多く使用されている照明器具ほど、調光上限値が低くなるように設定される。調光上限値を下げると、その分だけ電力使用量も低減されるが、多用されている照明器具ほど調光上限値が低く設定されるので、電力使用量の低減効果が高まるような調光上限値の設定を自動的に行うことができる。また、ユーザが各照明器具１の使用実績に基づいて調光上限値を判断する場合に比べて、調光上限値の決定を短時間で行え、且つ、電力使用量の低減効果が高い設定を確実に行うことができる。
【００７２】
さらに、本実施形態では、使用実績検出部としてのカウンタ２７が、各照明器具１の使用実績として点灯回数をカウントし、調光レベル決定部２１では、点灯回数が多いほど調光上限値が低くなるように、各照明器具１の調光上限値を決定している。このように、本実施形態では照明器具の使用実績として点灯回数をカウントしており、照明器具１の点灯及び消灯の情報から点灯回数をカウントできるので、使用実績を容易に検出することができる。
【００７３】
ところで、本実施形態では調光レベル決定部２１が、所定の集計期間内の点灯回数をもとに、点灯回数と調光上限値とが対応付けて設定された調光テーブルを参照して、調光上限値を決定しているが、以下に説明する演算ロジックで調光上限値を決定してもよい。
【００７４】
各照明器具１の点灯回数が表４の通りである場合、調光レベル決定部２１は、所定の集計期間において宅内にある全ての照明器具１が点灯した回数の総和（以下、総点灯回数という。）を求めた後、総点灯回数に対する、各照明器具１の点灯回数の割合を求める。例えばキッチン照明であれば５÷（５＋３０＋１０）≒１１．１（％）、玄関照明であれば３０÷４５≒６６．７（％）、寝室照明であれば１０÷４５≒２２．２（％）となる。点灯回数が多い照明器具ほど、総点灯回数に対する点灯回数の割合も大きくなるので、割合の大きい照明器具ほど調光上限値が低くなるように、調光上限値を決定すればよい。
【００７５】
そこで、調光レベル決定部２１では、各々の照明器具１について総点灯回数に対する点灯回数の割合を求めた後、この割合の逆数を求め、この値にデフォルト値（例えば５０％）を加算することによって、各照明器具１の調光上限値を決定する。例えばキッチン照明であれば、１００÷１１．１＋５０≒５９（％）が調光上限値に設定される。玄関照明であれば、１００÷６６．７＋５０≒５１．５（％）が調光上限値に設定される。また寝室照明であれば、１００÷２２．２＋５０≒５４．５（％）が調光上限値に設定される。尚、集計期間において照明器具１の点灯回数が０回であった場合、調光レベル決定部２１は、この照明器具１の調光上限値を１００％に設定する。
【００７６】
調光レベル決定部２１によって各照明器具１の調光上限値が決定されると、制御部２０は、調光レベル決定部２１によって決定された調光上限値を、通信部２２から各照明器具１へ送信させる。
【００７７】
各照明器具１では、調光制御装置２から送信された調光上限値を通信部１１で受信すると、制御部１０は、光源１４を点灯させる際に、調光上限値以下の調光レベルで光源１４を点灯させるように点灯回路部１３の出力を制御する。各照明器具１では、リモコン送信機４を用いて調光レベルを変化させることが可能であるが、調光制御装置２によって決定された調光上限値以下に調光範囲が制限されるので、この調光上限値よりも明るい範囲では調光することができず、電力使用量の抑制を図ることができる。
【００７８】
尚、調光レベル決定部２１では、集計期間内の総点灯回数に対する、各照明器具１の点灯回数の割合を求め、この割合の逆数にデフォルト値を加算することで調光上限値を決定しているが、この演算ロジックとは別の演算ロジックで調光上限値を決定してもよい。また調光レベル決定部２１では、調光上限値を決定する演算ロジックをその都度変更してもよい。
（実施形態５）
本発明の実施形態５を図６に基づいて説明する。各照明器具の使用実績として実施形態１〜３では累積点灯時間を検出し、実施形態４では点灯回数を検出しているのに対して、本実施形態では、使用実績として累積点灯時間と点灯回数の両方を検出している。尚、調光制御システムの構成は実施形態１〜４と略同様であるので、共通する構成要素には同一の符号を付して、その説明は省略する。
【００７９】
調光制御装置２では、所定の集計期間における各照明器具１の累積点灯時間を計時するタイマ２４と、所定の集計期間における各照明器具１の点灯回数をカウントするカウンタ２７を両方共に備えている。タイマ２４は、データ収集部２３が各照明器具１から収集した点灯／消灯の情報をもとに、所定の集計期間における各照明器具１の累積点灯時間を計時する。またカウンタ２７は、データ収集部２３が各照明器具１から収集した点灯／消灯の情報をもとに、所定の集計期間における各照明器具１の点灯回数をカウントする。タイマ２４によって計時された各照明器具１の累積点灯時間、並びに、カウンタ２７によってカウントされた各照明器具１の点灯回数はそれぞれメモリ２５に記憶される。
【００８０】
また調光制御装置２には、照明器具１の累積点灯時間並びに点灯回数と調光上限値とを対応付けた調光テーブルをユーザが設定するための設定部２６が設けられている。
【００８１】
設定部２６を用いて設定された調光テーブルでは、累積点灯時間が長いほど、或いは、点灯回数が多いほど、調光上限値が低下するように、累積点灯時間及び点灯回数と調光上限値とが対応付けて設定されている。下記の表６はこのような調光テーブルの一例である。
【００８２】
【表６】
2011204641.tif 000008
【００８３】
そして、調光レベル決定部２１では、各照明器具１の調光上限値を決定する際に、メモリ２５に記憶された累積点灯時間および点灯回数をもとに、設定部２６により設定された調光テーブルを参照して調光上限値を決定する。例えば子供部屋に設置された照明器具１の累積点灯時間が５０時間、点灯回数が１７回であれば、調光レベル決定部２１は、この照明器具１の調光上限値を６５％に設定し、この調光上限値が通信部２２から子供部屋の照明器具１に送信される。子供部屋の照明器具１では、調光制御装置２から送信された調光上限値により調光範囲の最大値が６５％に設定される。尚、リモコン送信機４を用いて照明器具１の調光レベルを変更することは可能であるが、子供部屋の照明器具１は調光制御装置２によって調光上限値が６５％に設定されているので、６５％以下の範囲でしか調光レベルを変更させることができない。したがって、子供部屋の照明器具１を６５％よりも高い調光レベルに変化させることはできず、電力使用量を削減することができる。
【００８４】
上述のように、本システムでは、照明器具の使用実績として累積点灯時間と点灯回数の両方を検出している。すなわち、タイマ２４が所定の集計期間における各照明器具１の累積点灯時間を計時するとともに、カウンタ２７が所定の集計期間における各照明器具１の点灯回数をカウントしている。そして、調光レベル決定部２１では、使用実績検出部によって検出された各照明器具１の使用実績（累積点灯時間および点灯回数）に基づいて、照明器具１が多く使用されているほど調光上限値が低下するように、各照明器具１に出力する調光上限値を決定している。
【００８５】
これにより、各照明器具１の調光上限値は、所定の集計期間内で多く使用されている照明器具ほど、調光上限値が低くなるように設定される。調光上限値を下げると、その分だけ電力使用量も低減されるが、多用されている照明器具ほど調光上限値が低く設定されるので、電力使用量の低減効果が高まるような調光上限値の設定を自動的に行うことができる。また、ユーザが各照明器具１の使用実績に基づいて調光上限値を判断する場合に比べて、調光上限値の決定を短時間で行え、且つ、電力使用量の低減効果が高い設定を確実に行うことができる。しかも、調光レベル決定部２１では、累積点灯時間と点灯時間の両方から照明器具１の使用実績を判断しているので、累積点灯時間だけから使用実績を判断する場合や、点灯回数だけから使用実績を判断する場合に比べて、使用実績の判断をより正確に行うことができる。
【００８６】
尚、調光レベル決定部２１が、実施形態１又は４で説明したような演算ロジックを用いて、累積点灯時間及び点灯回数の両方から調光上限値を決定してもよいことは言うまでもない。
【符号の説明】
【００８７】
１  照明器具
２  調光制御装置
１４  光源
２０  制御部（出力部）
２１  調光レベル決定部
２２  通信部（出力部）
２４  タイマ（使用実績検出部）
２５  メモリ
２６  設定部（調光テーブル設定部）
２７  カウンタ（使用実績検出部）
【図１】
2011204641.tif 000009
【図２】
2011204641.tif 000010
【図３】
2011204641.tif 000011
【図４】
2011204641.tif 000012
【図５】
2011204641.tif 000013
【図６】
2011204641.tif 000014